(57)【要約】      （修正有）【課題】噴霧器が常設された状態でも氷嚢として使用でき、噴霧器を装着したまま氷片を装入できるミスト機能付き氷嚢を提供する。【解決手段】底部から上部に向けて次第に収縮するように形成された袋体１の上部開口周縁部１１を固定ベース体２に固着し、固定ベース体２に開設された氷片装入用の開口部７を蓋体３により開閉自在に施蓋して成る氷嚢において、固定ベース体２は、平面視が幅寸法Ｗａよりも長手寸法Ｌａを大とするオーバル形状に形成され、長手方向の両端部に関して、一方端部の近傍部に形成された握持部６に氷片装入用の開口部７を形成すると共に、開口部７を蓋体３により施蓋し、他方端部の近傍部に筒口部８を形成すると共に、筒口部８に噴霧器５を装着し、袋体１の内部において解氷した冷水を噴霧器５により噴霧するように構成されている。【選択図】図１
0003230683.tif 000002
【実用新案登録請求の範囲】
【請求項１】
底部から上部に向けて次第に収縮するように形成された袋体(1)の上部開口周縁部(11)を固定ベース体(2)に固着し、前記固定ベース体に開設された氷片装入用の開口部(7)を蓋体(3)により開閉自在に施蓋して成る氷嚢において、
前記固定ベース体(2)は、平面視が幅寸法(Wa)よりも長手寸法(La)を大とするオーバル形状に形成され、長手方向の両端部に関して、一方端部の近傍部に形成された握持部(6)に前記氷片装入用の開口部(7)を形成すると共に、該開口部を前記蓋体(3)により施蓋し、他方端部の近傍部に筒口部(8)を形成すると共に、該筒口部に噴霧器(5)を装着し、
袋体の内部において解氷した冷水を前記噴霧器により噴霧するように構成して成ることを特徴とするミスト機能付き氷嚢。
【請求項２】
前記袋体の底部(9)は、平面視が幅寸法(Wb)よりも長手寸法(Lb)を大とするオーバル形状に形成され、該底部の幅寸法(Wb)及び長手寸法(Lb)は、それぞれ、前記固定ベース体(2)の幅寸法(Wa)及び長手寸法(La)よりも大きく形成されており、
前記噴霧器(5)に前記袋体の内部の冷水を吸引する導管(22)が接続され、該導管は、先端部が少なくとも前記氷片装入用の開口部(7)の直下に位置する底部の部位に当接する長さに形成されて成ることを特徴とする請求項１に記載のミスト機能付き氷嚢。
【請求項３】
前記固定ベース体(2)は、袋体の上部開口周縁部(11)に挿入状態で固着された環状壁(13)と、該環状壁の上部から外周に張出すフランジ(14)と、該フランジの周縁下面に突設された環状リブ(15)を備え、該環状リブの内周面に環状帯体(16)を内嵌しており、
前記環状帯体(16)は、環状リブ(15)の内周面に内嵌された嵌合部(16a)から前記環状壁(14)の下端に向けて傾斜する縮径部(16b)を備えて成ることを特徴とする請求項１又は２に記載のミスト機能付き氷嚢。
【考案の詳細な説明】
【技術分野】
【０００１】
本考案は、ミスト機能付き氷嚢に関し、氷嚢の袋体に装入した氷片の解氷した冷水を外気に向けて噴霧できるように構成したものに関する。
【背景技術】
【０００２】
従来、氷嚢、特に携帯可能なアウトドア用の氷嚢は、底部から上部に向けて次第に収縮するように形成された袋体の上部開口周縁部を固定ベース体に固着し、前記固定ベース体に開設された氷片装入用の開口部を蓋体により開閉自在に施蓋している。
【０００３】
そこで、夏季等において、ユーザは、袋体に氷片を装入した状態で携帯し、固定ベース体を手で握持することにより、袋体の底部を首や肩その他の所望の患部に押し当て、身体を冷却することができる。
【０００４】
ところで、近年、氷片装入用の開口部に噴霧器を着脱自在に取付けることにより、ミスト機能を付加した氷嚢が提案されている。これによれば、袋体の内部で解氷した冷水を外気に向けて噴霧することができ、ユーザの周囲の雰囲気温度を低下させることができる利点がある
【先行技術文献】
【特許文献】
【０００５】
【特許文献１】実用新案登録第３２０３３４９号公報
【考案の概要】
【考案が解決しようとする課題】
【０００６】
しかしながら、特許文献１が提案する氷嚢は、袋体の内部の氷片が解氷して減少したときは、噴霧器を取外すことにより氷片装入用の開口部を開放し、新たな氷片を装入した後、再び、噴霧器を取付ける作業を必要とする。
【０００７】
このような噴霧器の取外しと取付けの作業は、噴霧器に備えられた細長い導管を袋体に対して挿脱しなければならず、この際、噴霧器に備えられた小さなネジ付き筒体を回転させることにより脱着しなければならないため、作業が煩雑である。
【０００８】
更に、噴霧器が取付けられた状態で、通常の氷嚢として使用し、袋体の底部をユーザの患部に押し当てようとする際、手で好適に握持することができないため、使い勝手が悪い。そして、もしも、ユーザが噴霧器を握持することにより氷嚢として使用すると、噴霧器に破損を生じるおそれがある。
【０００９】
本考案は、上記課題を解決したミスト機能付き氷嚢を提供するものである。
【課題を解決するための手段】
【００１０】
そこで、本考案が手段として構成したところは、底部から上部に向けて次第に収縮するように形成された袋体の上部開口周縁部を固定ベース体に固着し、前記固定ベース体に開設された氷片装入用の開口部を蓋体により開閉自在に施蓋して成る氷嚢において、前記固定ベース体は、平面視が幅寸法(Wa)よりも長手寸法(La)を大とするオーバル形状に形成され、長手方向の両端部に関して、一方端部の近傍部に形成された握持部に前記氷片装入用の開口部を形成すると共に、該開口部を前記蓋体により施蓋し、他方端部の近傍部に筒口部を形成すると共に、該筒口部に噴霧器を装着し、袋体の内部において解氷した冷水を前記噴霧器により噴霧するように構成して成る点にある。
【００１１】
本考案の好ましい実施形態において、前記袋体の底部は、平面視が幅寸法(Wb)よりも長手寸法(Lb)を大とするオーバル形状に形成され、該底部の幅寸法(Wb)及び長手寸法(Lb)は、それぞれ、前記固定ベース体の幅寸法(Wa)及び長手寸法(La)よりも大きく形成されており、前記噴霧器に前記袋体の内部の冷水を吸引する導管が接続され、該導管は、先端部が少なくとも前記氷片装入用の開口部の直下に位置する底部に当接する長さに形成されている。
【００１２】
更に本考案の好ましい実施形態において、前記固定ベース体は、袋体の上部開口周縁部に挿入状態で固着された環状壁と、該環状壁の上部から外周に張出すフランジと、該フランジの周縁下面に突設された環状リブを備え、該環状リブの内周面に環状帯体を内嵌しており、前記環状帯体は、環状リブの内周面に内嵌された嵌合部から前記環状壁の下端に向けて傾斜する縮径部を備えている。
【考案の効果】
【００１３】
本考案によれば、噴霧器５により袋体１の内部で解氷した冷水を外気に向けて噴霧することができるので、ユーザの周囲の雰囲気温度を低下させ冷感に浸ることができる。
【００１４】
そして、このようなミスト機能付き氷嚢でありながら、通常の氷嚢と同様に、袋体１の底部９をユーザの首や肩その他の所望の患部に押し当てることにより身体を冷却するときは、固定ベース体２の握持部６を手で握持することにより好適に作業を行うことができる。つまり、噴霧器５が常設された状態でも、該噴霧器５を握持することなく、握持部６を握持することにより底部９の押し当て動作を行うことが可能である。
【００１５】
ところで、袋体１の内部の氷片が解氷して減少したときは、噴霧器５を装着したままの状態で、単純に、蓋体３を取外して開放された開口部７から新たな氷片を装入し、再び、蓋体３を取付け施蓋すれば良く、作業が単純であり簡単容易である。
【図面の簡単な説明】
【００１６】
【図１】本考案の１実施形態を示し、（Ａ）は平面図、（Ｂ）は正面図である。
【図２】本考案の１実施形態を示し、（Ａ）は側面図、（Ｂ）は折畳み状態の側面図である。
【図３】本考案の１実施形態を示す断面図である。
【図４】形式の異なる噴霧器を選択的に取付け可能とした構成を説明する正面図である。
【図５】固定ベース体と蓋体と環状帯体を分離状態で示す斜視図である。
【図６】固定ベース体と蓋体と環状帯体を示し、（Ａ）は分離状態を示す断面図、（Ｂ）は組付状態を示す断面図である。
【考案を実施するための形態】
【００１７】
以下図面に基づいて本考案の好ましい実施形態を詳述する。
【００１８】
ミスト機能付き氷嚢は、袋体１と、固定ベース体２並びに蓋体３及び環状帯体と、噴霧器５により構成されている。
【００１９】
図１に示すように、固定ベース体２は、平面視が幅寸法Ｗａよりも長手寸法Ｌａを大とするオーバル形状に形成され、長手方向の両端部に関して、一方端部の近傍部に形成された握持部６に前記氷片装入用の開口部７を形成すると共に、該開口部７を蓋体３により開閉自在に施蓋し、他方端部の近傍部に筒口部８を形成すると共に、該筒口部８に噴霧器５を着脱自在に装着している。固定ベース体２のオーバル形状に関して、図示実施形態は、長円形に形成しているが、楕円形や卵形等としても良い。
【００２０】
袋体１は、柔軟な素材により形成されており、底部９から上部に向けて次第に収縮する周壁１０を介して上部の開口周縁部１１を形成し、該開口周縁部１１を固定ベース体２に固着されている。底部９は、平面視が幅寸法Ｗｂよりも長手寸法Ｌｂを大とするオーバル形状に形成され、該底部の幅寸法Ｗｂ及び長手寸法Ｌｂは、それぞれ、前記固定ベース体２の幅寸法Ｗａ及び長手寸法Ｌａよりも大きく形成されている。袋体１の底部９のオーバル形状に関して、図示実施形態は、楕円形に形成しているが、長円形や卵形等としても良い。
【００２１】
図５及び図６に示すように、固定ベース体２は、上述のようなオーバル形状の平板部１２の下面に袋体１の開口周縁部１１に挿入状態で固着される環状壁１３を垂設し、前記平板部１２の周縁部により環状壁１２の上部から外周に張出すフランジ１４を形成すると共に、該フランジ１４の周縁下面に環状リブ１５を突設し、該環状リブ１５の内周面に内嵌される金属板製の環状帯体１６を備えている。
【００２２】
このような構成により、前記環状壁１３は、袋体１の開口周縁部１１に挿入され、接着手段又は溶着手段等により、環状壁１３の外周面と開口周縁部１１を相互に水密的に固着している。
【００２３】
固定ベース体２に周設された環状壁１３は、固定ベース体２に沿うオーバル形状とされ、オーバル形状とされた袋体１の底部９から周壁１０を介して延設された開口周縁部１１は、前記環状壁１３に沿うオーバル形状とされているので、環状壁１３と開口周縁部１１は、相互にほぼ合致された状態で好適に固着される。そして、固着作業の際、環状帯体１６は取付けられておらず、開口周縁部１１の外周が開放されているので、作業を容易に行うことができる。そこで、固着作業の後、開口周縁部１１の周囲は、環状帯体１６により抱持される。
【００２４】
環状帯体１６は、環状リブ１５の内周面に内嵌された嵌合部１６ａから前記環状壁１３の下端に向けて傾斜する縮径部１６ｂを備え、該縮径部１６ｂにより前記開口周縁部１１を抱持する。この際、縮径部１６ｂは、下端縁を内側に折り返した重合部を形成することが好ましい。これにより、環状壁１３に固着された開口周縁部１１を保護し、しかも、外観を見栄えの良いものとする。
【００２５】
前記固定ベース体２の開口部７は、平板部１２から垂設されたボス部１７により形成されると共に、該ボス部に雌ネジを設けている。これに対して、蓋体３は、開口部７を上方から被う蓋板部１８から、前記ボス部１７に螺入される雄ネジを設けた栓部１９を垂設しており、開口部７を水密的に閉鎖するパッキン２０を備えている。
【００２６】
前記固定ベース体２の筒口部７は、平板部１２から立設され、雄ネジを設けており、噴霧器５に設けられているネジ付き筒体２１を着脱自在に螺着することができる。
【００２７】
噴霧器５は、図４に示すように、市販品等の既成の製品を利用することができ、プッシュボタン形式の噴霧器５Ａと、レバー形式の噴霧器５Ｂを選択的に使用することが可能である。プッシュボタン形式の噴霧器５Ａは、ノズル付きのボタンを押下すると、ポンプが作動する。レバー形式の噴霧器５Ｂは、レバーによりノズル付きピストンを押動すると、ポンプが作動する。何れの形式のものも、本体の下側に同一規格とされたネジ付き筒体２１を備えているので、固定ベース体２の筒口部７に螺着可能とされている。
【００２８】
噴霧器５（プッシュボタン形式の噴霧器５Ａ及びレバー形式の噴霧器５Ｂ）は、ポンプ作動時の吸引のための導管２２を設けており、該導管２２は、筒口部７から袋体１の内部に挿入される。この際、導管２２は、図３に示すように、先端部が少なくとも開口部７の直下に位置する底部９の部位に当接する長さを有するように形成されている。
【００２９】
以上のように構成されたミスト機能付き氷嚢は、袋体１に氷片を装入することにより携帯され、使用される。この状態において、開口部７は蓋体３により施蓋され、筒口部８には噴霧器５が装着されている。
【００３０】
通常の氷嚢と同様に、袋体１の底部９をユーザの首や肩その他の所望の患部に押し当てることにより身体を冷却するときは、固定ベース体２の握持部６を手で握持することにより好適に作業を行うことができる。つまり、噴霧器５が常設された状態においても、該噴霧器５を握持することなく、握持部６を握持することにより底部９の押し当て動作を行うことが可能である。
【００３１】
この際、袋体１の底部９は、従来の氷嚢のような円形ではなく、幅寸法Ｗｂよりも長手寸法Ｌｂを大としたオーバル形状とされ、身体に対する接触面積が大きく、しかも、長手方向に変形し易いので、押し当てによる身体の冷却を好適に行うことができる。
【００３２】
その一方において、必要に応じ、噴霧器５を作動させれば、袋体１の内部で解氷した冷水を外気に向けて噴霧することができ、ユーザの周囲の雰囲気温度を低下させ、冷感に浸ることができる。
【００３３】
そして、袋体１の内部の氷片が解氷して減少したときは、噴霧器５を装着したままの状態で、単純に、蓋体３を取外して開放された開口部７から新たな氷片を装入し、再び、蓋体３を取付け施蓋すれば良く、作業が単純であり簡単容易である。
【符号の説明】
【００３４】
１  袋体
２  固定ベース体
３  蓋体
５  噴霧器
５Ａ  プッシュボタン形式の噴霧器
５Ｂ  レバー形式の噴霧器
６  握持部
７  開口部
８  筒口部
９  底部
１０  周壁
１１  開口周縁部
１２  平板部
１３  環状壁
１４  フランジ
１５  環状リブ
１６  環状帯体
１６ａ  嵌合部
１６ｂ  縮径部
１７  ボス部
１８  蓋板部
１９  栓部
２０  パッキン
２１  ネジ付き筒体
２２  導管
【図１】
0003230683.tif 000003
【図２】
0003230683.tif 000004
【図３】
0003230683.tif 000005
【図４】
0003230683.tif 000006
【図５】
0003230683.tif 000007
【図６】
0003230683.tif 000008
【手続補正書】
【提出日】令和2年12月1日(2020.12.1)
【手続補正１】
【補正対象書類名】実用新案登録請求の範囲
【補正対象項目名】全文
【補正方法】変更
【補正の内容】
【実用新案登録請求の範囲】
【請求項１】
底部から上部に向けて次第に収縮するように形成された袋体(1)の上部開口周縁部(11)を固定ベース体(2)に固着し、前記固定ベース体に開設された氷片装入用の開口部(7)を蓋体(3)により開閉自在に施蓋して成る氷嚢において、
前記固定ベース体(2)は、平面視が幅寸法(Wa)よりも長手寸法(La)を大とするオーバル形状に形成され、長手方向の両端部に関して、一方端部の近傍部に形成された握持部(6)に前記氷片装入用の開口部(7)を形成すると共に、該開口部を前記蓋体(3)により施蓋し、他方端部の近傍部に筒口部(8)を形成すると共に、該筒口部に噴霧器(5)を装着し、
袋体の内部において解氷した冷水を前記噴霧器により噴霧するように構成して成ることを特徴とするミスト機能付き氷嚢。
【請求項２】
前記袋体の底部(9)は、平面視が幅寸法(Wb)よりも長手寸法(Lb)を大とするオーバル形状に形成され、該底部の幅寸法(Wb)及び長手寸法(Lb)は、それぞれ、前記固定ベース体(2)の幅寸法(Wa)及び長手寸法(La)よりも大きく形成されており、
前記噴霧器(5)に前記袋体の内部の冷水を吸引する導管(22)が接続され、該導管は、先端部が少なくとも前記氷片装入用の開口部(7)の直下に位置する底部の部位に当接する長さに形成されて成ることを特徴とする請求項１に記載のミスト機能付き氷嚢。
【請求項３】
前記固定ベース体(2)は、袋体の上部開口周縁部(11)に挿入状態で固着された環状壁(13)と、該環状壁の上部から外周に張出すフランジ(14)と、該フランジの周縁下面に突設された環状リブ(15)を備え、該環状リブの内周面に環状帯体(16)を内嵌しており、
前記環状帯体(16)は、環状リブ(15)の内周面に内嵌された嵌合部(16a)から前記環状壁(13)の下端に向けて傾斜する縮径部(16b)を備えて成ることを特徴とする請求項１又は２に記載のミスト機能付き氷嚢。